(57)【特許請求の範囲】
【請求項１】
第１の記録メディアが装填される第１装填部と、
前記第１装填部に装填された前記第１の記録メディアをイジェクトするイジェクト機構と、
前記イジェクト機構の作動を開始させるための第１のイジェクトボタンと、
第２の記録メディアが装填される第２装填部と、
前記第２装填部を露出させる開放位置と前記第２装填部を覆う閉じ位置との間で開閉自在な開閉蓋と、
前記開閉蓋を前記閉じ位置にネジでネジ止めしたときに、前記イジェクト機構によるイジェクトを禁止するイジェクト禁止手段と、
を備えることを特徴とする記録メディア再生装置。
【請求項２】
前記イジェクト禁止手段は、
前記ネジ止めされたことを検出する検出手段と、
前記検出手段が前記ネジ止めを検出したときに、前記イジェクト機構の作動を禁止する制御手段と、を備えることを特徴とする請求項１記載の記録メディア再生装置。
【請求項３】
前記イジェクト禁止手段は、前記ネジの先端によって作動され、前記第１のイジェクトボタンに当接して操作不能にするレバーからなることを特徴とする請求項１記載の記録メディア再生装置。
【請求項４】
前記第２の記録メディアを取り出し位置へ押し出すための第２のイジェクトボタンを備え、
前記開閉蓋は、前記閉じ位置で前記第２のイジェクトボタンを覆うことを特徴とする請求項１ないし３いずれか１つ記載の記録メディア再生装置。
【発明の詳細な説明】
【技術分野】
【０００１】
本発明は、２つの記録メディアが装填可能な記録メディア再生装置に関するものである。
【背景技術】
【０００２】
近年、メモリカード等のカード型記録メディアと、ＣＤやＤＶＤ（以下、単にＣＤという）等のディスク型記録メディアとの両方を記録及び／または再生可能にする記録メディア再生装置が広く普及している。記録メディア再生装置は、カード型記録メディアを装填するカードスロットと、ＣＤを装填するディスク装置とが設けられている。カードスロットの近傍に設けられたカード用イジェクトボタンを押圧すると、カード型記録メディアが取り出し位置まで手動操作で戻される。
【０００３】
ディスク装置には、トレイに載せて内部に装填するトレイタイプと、ディスクスロットに直接装填するスロットインタイプとがあるが、いずれの場合にも、ディスク用イジェクトボタンを押圧すると、ディスク型記録メディアは、ディスク装置のイジェクト機構により自動的にイジェクトされる。
【０００４】
記録メディアは、イジェクトボタンを押圧するだけで、取り出すことができるため、不特定多数の人が出入りする場所で記録メディア再生装置を使用する場合には、記録メディアが盗難される恐れがある。
【０００５】
メモリカードの盗難防止では、カードスロットの入口に開閉蓋を設け、この開閉蓋をネジで開かないように固定することが一般的である。
【０００６】
ＣＤの盗難防止では、イジェクト機構が作動しないようにすることが普通である。例えば、特許文献１では、ストップスイッチを所定時間連続して押し続けると、ロックモードに移行する。このロックモードでは、イジェクトボタンを押圧しても、イジェクト機構が作動しないため、プレーヤからＣＤを取り出すことができない。また、特許文献２では、ＣＤの取り出しの許可／禁止の設定ができるようになっており、取り出し禁止に設定されているときには、イジェクトボタンの押圧が無効となる。特許文献３では、イジェクト無効の操作画面を読み出して無効を設定したときには、イジェクトボタンの操作が無効となる。
【特許文献１】特開平７−３７３２０号公報
【特許文献２】特開２００１−２８２６２０号公報
【特許文献３】特開２００７−５８９９８号公報
【発明の開示】
【発明が解決しようとする課題】
【０００７】
カード型記録メディアとディスク型記録メディアの両方を記録及び／または再生可能とする記録メディア再生装置では、２つの記録メディアに対して、それぞれ盗難防止処置を行うことが必要であるため、その設定作業が面倒である。
【０００８】
本発明は、上記課題を解決するためになされたものであり、２つの記録メディアに対する盗難防止処置を同時に行うことができるようにした記録メディア再生装置を提供することを目的とする。
【課題を解決するための手段】
【０００９】
上記目的を達成するために、本発明の記録メディア再生装置は、第１の記録メディアが装填される第１装填部と、前記第１装填部に装填された前記第１の記録メディアをイジェクトするイジェクト機構と、前記イジェクト機構の作動を開始させるための第１のイジェクトボタンと、第２の記録メディアが装填される第２装填部と、前記第２装填部を露出させる開放位置と前記第２装填部を覆う閉じ位置との間で開閉自在な開閉蓋と、前記開閉蓋を前記閉じ位置にネジでネジ止めしたときに、前記イジェクト機構によるイジェクトを禁止するイジェクト禁止手段と、を備えることを特徴とする
【００１０】
また、前記イジェクト禁止手段は、前記ネジ止めされたことを検出する検出手段と、前記検出手段が前記ネジ止めを検出したときに、前記イジェクト機構の作動を禁止する制御手段と、を備えることが好ましい。
【００１１】
さらに、前記イジェクト禁止手段は、前記ネジの先端によって作動され、前記第１のイジェクトボタンに当接して操作不能にするレバーからなることが好ましい。
【００１２】
また、前記第２の記録メディアを取り出し位置へ押し出すための第２のイジェクトボタンを備え、前記開閉蓋は、前記閉じ位置で前記第２のイジェクトボタンを覆うことが好ましい。
【発明の効果】
【００１３】
本発明によれば、第２の記録メディアが装填される第２装填部を覆う閉じ位置に、開閉蓋をネジ止めすると、イジェクト機構による第１の記録メディアのイジェクトが禁止されるから、開閉蓋を閉じ位置にネジ止めするだけで、同時に２つの記録メディアの取り出しを禁止して盗難防止を図ることができる。
【発明を実施するための最良の形態】
【００１４】
［第１実施形態］
図１において、オーディオプレーヤ（記録メディア再生装置）２は、本体ケース３に、２種類の記録メディア、例えば、ＣＤ４とメモリカード５とが装填され、選択的に再生または記録が行われる。
【００１５】
本体ケース３は、前面が開口した箱状の収納ケース７と、収納ケース７の前面に取り付けられたフロントパネル８とから構成されている。フロントパネル８には、ＣＤ４を装填するためのＣＤスロット９と、メモリカード５を装填するためのカードスロット１０とが形成されている。フロントパネル８には、電源ボタン１１、ＣＤイジェクトボタン１２、再生ボタン１３、停止ボタン１４、一時停止ボタン１５、録音ボタン１６、セレクトボタン１７等の各種操作ボタンが設けられている。セレクトボタン１７を押圧すると、再生／記録されるメディアが、ＣＤ４とメモリカード５との間で切り換わる。本体ケース３の内部には、各ボタン１１〜１７の後方に、スイッチ２１〜２７（図４参照）が設けられている。これらスイッチ２１〜２７からなる操作スイッチ群２８は、ＣＰＵ３０（図４参照）に接続されている。
【００１６】
図２に示すように、ＣＤスロット９の後方には、ディスク装置３１が配されている。ＣＤ４をＣＤスロット９に装填すると、周知のローディング機構３２によりディスク装置３１内に自動的にローディングされ、再生／記録位置にセットされる。ＣＤイジェクトボタン１２を押圧すると、ローディング機構３２が逆方向に作動して、ＣＤ４のほぼ１／３がＣＤスロット９から露出するイジェクト位置に向けて、ＣＤ４をイジェクトする。このローディング機構３２は、ＣＤ４の取り出し時にイジェクト機構として機能する。
【００１７】
カードスロット１０の後方には、カードケース３３が配されている。カードスロット１０に挿入されたメモリカード５は、カードケース３３内に収納される。本体ケース３の内部には、カードリーダ／ライタ３４（図４参照）が配されている。メモリカード５を奥まで押し込むと、カードリーダ／ライタ３４に接続される。カードリーダ／ライタ３４は、メモリカード５に対してデータの再生／記録を行う。
【００１８】
カードスロット１０の周囲には、凹部３６が形成されている。この凹部３６内に配置した軸３７に、開閉蓋３８の一端が回転可能に取り付けられている。この開閉蓋３８は、図３に示す閉じ位置にセットされると、凹部３６内に入り込んで、カードスロット１０を閉鎖する。開閉蓋３８が図２に示す開き位置に戻されると、カードスロット１０が露呈して、メモリカード５の装填や取り出しが可能となる。
【００１９】
また、凹部３６内には、カードイジェクトボタン３９（図１参照）が設けられている。周知のように、カードイジェクトボタン３９を押圧すると、これに連動してイジェクトレバー（図示せず）が作動して、メモリカード５の後端を押して、手で引出しが可能となる取り出し位置まで戻される。このカードイジェクトボタン３９は、開閉蓋３８が閉じ位置にセットされているときに、開閉蓋３８により覆われるため、操作することができない。
【００２０】
メモリカード５の盗難を防止するために、開閉蓋３８は閉じ位置でネジ止め可能にしてある。この実施形態では、星型六角形のドライバ挿入溝が頭部に形成され、特殊なドライバが必要となるトルクスネジ４１が用いられている。
【００２１】
開閉蓋３８には、トルクスネジ４１が挿通されるネジ挿通孔３８ａが形成されている。このネジ挿通孔３８ａは、トルクスネジ４１の頭部を収納するように、段付き形状をしている。トルクスネジ４１の紛失を防止するために、トルクスネジ４１がネジ挿通孔３８ａから抜け出ないように、例えば、抜け止めのＥリングを設けてもよい。
【００２２】
フロントパネル８の後面には、ナット４２が取り付けられている。凹部３６には、ナット４２に連通するようにネジ挿通孔４３が形成されている。本体ケース３内部には、開閉蓋３８が閉じ位置にネジ止めされたことを検出する検出スイッチ４４が設けられている。この検出スイッチ４４は、トルクスネジ４１の先端で押されるとＯＮする。
【００２３】
図４に示すように、検出スイッチ４４には、端子４４ａ，４４ｂが設けられている。端子４４ａはＣＰＵ３０及び電源に接続され、端子４４ｂはアース接続されている。検出スイッチ４４は、ＯＦＦのときには出力が「Ｈ」になり、端子４４ａ，４４ｂが導通しているＯＮのときには出力が「Ｌ」になる。検出スイッチ４４の出力が「Ｌ」になると、検出信号としてＣＰＵ３０に送られる。
【００２４】
ＣＰＵ３０には、各スイッチ２１〜２７が接続されており、各ボタン１１〜１７を操作したときに、各スイッチ２１〜２７から信号が入力される。ＣＰＵ３０は、入力された信号に基づいて、ディスク装置３１、ローディング機構３２及びカードリーダ／ライタ３４を作動する。
【００２５】
次に、上記第１実施形態の作用について説明する。オーディオプレーヤ２の使用の前に、ＣＤ４をＣＤスロット９から挿入する。このＣＤ４のほぼ２／３がＣＤスロット９に挿入されると、ディスク装置３１のローディング機構３２が作動する。このローディング機構３２は、ＣＤ４を保持してディスク装置３１内に引込み、再生／記録位置にセットする。
【００２６】
また、メモリカード５の装填では、開閉蓋３８を開くと、カードスロット１０が露呈する。メモリカード５をカードスロット１０内に手動操作で押し込み、カードリーダ／ライタ３４に接続する。
【００２７】
ＣＤ４やメモリカード５の盗難防止のために、開閉蓋３８が閉じられる。この開閉蓋３８が閉じ位置にセットされると、図３に示すように、カードスロット１０とカードイジェクトボタン３９とが開閉蓋３８により遮蔽される。
【００２８】
トルクスドライバを使用して、トルクスネジ４１をネジ挿通孔３８ａ及びネジ挿通孔４３を介してナット４２に螺合させると、開閉蓋３８は、閉じ位置に固定される。これにより、トルクスドライバを使用しない限り、開閉蓋３８を開くことができないため、メモリカード５の取り出しが禁止される。
【００２９】
トルクスネジ４１を取り付けると、その先端で検出スイッチ４４が押圧されてＯＮする。この検出スイッチ４４は、ＯＮすると出力が「Ｈ」から「Ｌ」に切り換わり、検出信号としてＣＰＵ３０に送られる。ＣＰＵ３０は、検出信号が入力されているときには、ローディング機構３２の作動を禁止して、ＣＤ４のイジェクトを禁止する。このため、ＣＤイジェクトボタン１２を操作することによってスイッチ２２から発生するＣＤイジェクト信号が、ＣＰＵ３０に入力されても、ローディング機構３２は作動されない。したがって、ＣＤ４の取り出しができなくなる。
【００３０】
ＣＤ４、メモリカード５を装填した後は、セレクトボタン１７を操作して、ＣＤ４及びメモリカード５の一方を選択する。次に、通常のように再生ボタン１３または録音ボタン１６を操作し、ＣＤ４またはメモリカード５の再生／記録をすることができる。
【００３１】
ＣＤ４やメモリカード５を取り出す場合には、トルクスドライバでトルクスネジ４１を逆方向に回してナット４２から外す。次に、開閉蓋３８を開放位置に回転すると、カードスロット１０及びカードイジェクトボタン３９が露呈するから、カードイジェクトボタン３９を押圧して、メモリカード５を抜き出すことができる。また、ＣＤイジェクトボタン１２を押圧すると、ＣＤイジェクト信号がＣＰＵ３０に送られる。ＣＰＵ３０は、ローディング機構３２を作動し、ＣＤ４をディスク装置３１から自動的に排出する。
【００３２】
［第２実施形態］
図５に示す第２実施形態は、フォトセンサ５０でネジ止めを検出するものである。なお、第１実施形態のものと同様の構成部材には同一の符号を付し、その詳細な説明を省略する。
【００３３】
フォトセンサ５０は、投光部５１と受光部５２とから構成され、ナット４２の後方に設けられている。図５（Ａ）に示すように、トルクスネジ５３がネジ止めされていないときには、投光部５１からの光は、受光部５２に入射する。
【００３４】
図５（Ｂ）に示すように、トルクスネジ４１で開閉蓋３８を閉じ位置に固定すると、投光部５１からの光は、トルクスネジ５３で遮られ、受光部５２に入射しない。フォトセンサ５０は、受光部５２での受光が停止されたことに応答して、ＣＰＵ３０にネジ検出信号を送る。
【００３５】
ＣＰＵ３０は、フォトセンサ５０からネジ検出信号が入力されているときには、ローディング機構３２の作動を禁止して、ＣＤ４のイジェクトを禁止する。
【００３６】
また、第１の実施形態に比べて、トルクスネジ５３を充分に緩めないと、フォトセンサ５０からのネジ検出信号の出力を停止させることができない。これにより、トルクスネジ５３を少し回しただけで、ＣＤ４が取り出されてしまうのを防止することができる。
【００３７】
［第３実施形態］
図６に示す第３実施形態は、ＣＤイジェクトボタン１２の操作を機械的に禁止するものである。なお、第１実施形態のものと同様の構成部材には同一の符号を付し、その詳細な説明を省略する。
【００３８】
イジェクト防止レバー６１は、軸６２を中心に回転自在に設けられ、コイルバネ６３により、Ａ方向に付勢されている。コイルバネ６３は、一端がイジェクト防止レバー６１のバネ掛け部６１ａに掛けられ、他端が本体ケース３内部に設けられたバネ掛け部６４に掛けられている。図６（Ａ）に示すように、トルクスネジ６５がネジ止めされていないときには、イジェクト防止レバー６１はＣＤイジェクトボタン１２から離れており、ＣＤイジェクトボタン１２によりスイッチ２２を押圧することができる。
【００３９】
図６（Ｂ）に示すように、トルクスネジ６５で開閉蓋３８を閉じ位置に固定すると、トルクスネジ６５の先端が、イジェクト防止レバー６１をＢ方向に回転させる。このイジェクト防止レバー６１は、ＣＤイジェクトボタン１２の背後に入り込み、ＣＤイジェクトボタン１２の押圧ができないようにする。これにより、ＣＤ４のイジェクトが禁止される。また、開閉蓋３８が閉じ位置に固定されているため、メモリカード５の取り出しも禁止されている。
【００４０】
なお、上記実施形態では、スロットインタイプのディスク装置３１であるが、トレイタイプにも本発明を適用することができる。
【００４１】
また、上記実施形態では、カードイジェクトボタン３９の押圧力によりメモリカード５が押し出されるが、メモリカード５の挿入時にバネを蓄勢した状態でロックしておき、カードイジェクトボタン３９を押圧したときにロックを解除し、バネの付勢力でメモリカード５を押し出してもよい。
【００４２】
さらに、リモコンを用いたオーディオプレーヤに対しても本発明が適用可能であり、ＣＰＵ３０は、検出スイッチ４４またはフォトセンサ５０から検出信号が入力されているときには、リモコンからＣＤイジェクト指示が発生しても、ローディング機構３２を作動しない。
【００４３】
また、上記実施形態では、２種類の記録メディアとしてＣＤとメモリカードを例に説明したが、記録メディアの組み合わせはこれに限定されることなく、例えば、ＤＶＤとメモリカード、ブルーレイディスクとメモリカード、ＣＤとリムーバブルハードディスク、ＤＶＤとリムーバブルハードディスク、ブルーレイディスクとリムーバブルハードディスク等、様々な組み合わせのものに本発明は適用することができる。
【図面の簡単な説明】
【００４４】
【図１】本発明を実施したオーディオプレーヤの斜視図である。
【図２】オーディオプレーヤの内部構造を示す縦断面図である。
【図３】トルクスネジをナットに螺合させた状態のオーディオプレーヤの内部構造を示す縦断面図である。
【図４】オーディオプレーヤの電気的構成を示すブロック図である。
【図５】フォトセンサを用いた実施形態を示す縦断面図である。
【図６】イジェクト防止レバーを設けた実施形態を示す横断面図である。
【符号の説明】
【００４５】
２  オーディオプレーヤ
４  ＣＤ
５  メモリカード
９  ＣＤスロット
１０  カードスロット
１２  ＣＤイジェクトボタン
３８  開閉蓋
３９  カードイジェクトボタン
４１  トルクスネジ
４４  検出スイッチ
５０  フォトセンサ
６１  イジェクト防止レバー
【図１】
0004936011.tif 000002
【図２】
0004936011.tif 000003
【図３】
0004936011.tif 000004
【図４】
0004936011.tif 000005
【図５】
0004936011.tif 000006
【図６】
0004936011.tif 000007